(57)【要約】【課題】組立て作業性および生産性が良く、低コスト化を図ることができる鍵盤楽器のアクション機構を提供する。【解決手段】並列に配列された複数の鍵２それぞれに対応して設けられ、押鍵操作に応じて変位する複数の伝達部材１０と、伝達部材１０それぞれに設けられ、伝達部材１０の変位に応じて回転動作し、押鍵操作されている鍵２に対してアクション荷重を付与する複数のハンマー部材と、複数の伝達部材１０それぞれに対応して設けられ、複数の伝達部材１０それぞれを回転自在に保持する伝達保持軸２４を有する複数の伝達保持部１３と、を備える。各伝達部材１０は、伝達保持軸２４に挿脱可能に挿入して回転自在に取り付けられる伝達嵌合部２６を有している。従って、伝達嵌合部２６を伝達保持軸２４にその軸方向と直交する方向から挿脱可能に挿入するだけで、伝達部材１０を伝達保持部１３に簡単にかつ容易に取り付けることができる。【選択図】図７
2018165829.tif 000002
【特許請求の範囲】
【請求項１】
並列に配列された複数の鍵と、
前記複数の鍵それぞれに対応して設けられ、当該複数の鍵それぞれの押鍵操作に応じて変位する複数の伝達部材と、
前記複数の伝達部材それぞれに設けられ、押鍵操作に対応する前記伝達部材の変位に応じて回転動作することにより、前記押鍵操作されている鍵に対してアクション荷重を付与する複数のハンマー部材と、
前記複数の伝達部材それぞれに対応して設けられ、当該複数の伝達部材それぞれを回転自在に保持する伝達保持軸を有する複数の伝達保持部と、
を備え、
前記各伝達部材は、前記伝達保持軸に挿脱可能に挿入して回転自在に取り付けられる伝達嵌合部を有していることを特徴とする鍵盤楽器のアクション機構。
【請求項２】
並列に配列された複数の鍵と、
前記複数の鍵それぞれに対応して設けられ、当該複数の鍵それぞれの押鍵操作に応じて変位する複数の伝達部材と、
前記複数の伝達部材それぞれに設けられ、押鍵操作に対応する前記伝達部材の変位に応じて回転動作することにより、前記押鍵操作されている鍵に対してアクション荷重を付与する複数のハンマー部材と、
前記複数のハンマー部材それぞれに対応して設けられ、当該複数のハンマー部材それぞれを回転自在に保持するハンマー保持軸を有する複数のハンマー保持部と、
を備え、
前記各ハンマー部材は、前記ハンマー保持軸に挿脱可能に挿入して回転自在に取り付けられるハンマー嵌合部を有していることを特徴とする鍵盤楽器のアクション機構。
【請求項３】
請求項１に記載の鍵盤楽器のアクション機構において、前記伝達部材の前記伝達嵌合部は、その中心部に前記伝達保持軸が嵌合する嵌合孔が形成され、この嵌合孔の周囲における一部に前記伝達保持軸が挿脱可能に挿通する挿入口が形成されていることを特徴とする鍵盤楽器のアクション機構。
【請求項４】
請求項３に記載の鍵盤楽器のアクション機構において、前記伝達保持部には、前記伝達部材の横振れを防ぐガイド部がそれぞれ設けられていることを特徴とする鍵盤楽器のアクション機構。
【請求項５】
請求項１、請求項３、請求項４のいずれかに記載の鍵盤楽器のアクション機構において、前記伝達嵌合部には、スリット溝が前記伝達部材の長手方向に沿って設けられていることを特徴とする鍵盤楽器のアクション機構。
【請求項６】
請求項１、請求項３〜請求項５のいずれかに記載の鍵盤楽器のアクション機構において、前記複数の伝達保持部は、前記鍵の配列方向に沿って一体に形成されていることを特徴とする鍵盤楽器のアクション機構。
【請求項７】
請求項２に記載の鍵盤楽器のアクション機構において、前記ハンマー部材の前記ハンマー嵌合部は、その中心部に前記ハンマー保持軸が嵌合する嵌合孔が形成され、この嵌合孔の周囲における一部に前記ハンマー保持軸が挿脱可能に挿通する挿入口が形成されていることを特徴とする鍵盤楽器のアクション機構。
【請求項８】
請求項２に記載の鍵盤楽器のアクション機構において、前記ハンマー保持部は、前記複数のハンマー部材それぞれに対応して、前記各ハンマー部材を両側から挟む一対のガイド壁を備えていることを特徴とする鍵盤楽器のアクション機構。
【請求項９】
請求項２に記載の鍵盤楽器のアクション機構において、前記ハンマー保持部は、前記複数のハンマー部材それぞれに対応して、前記各ハンマー部材を両側から挟む一対の挟持突起を備えていることを特徴とする鍵盤楽器のアクション機構。
【請求項１０】
請求項８に記載の鍵盤楽器のアクション機構において、互いに隣接する前記一対のガイド壁の間に連結押え部を備えていることを特徴とする鍵盤楽器のアクション機構。
【請求項１１】
請求項８に記載の鍵盤楽器のアクション機構において、前記一対のガイド壁それぞれには、前記ハンマー部材を両側から弾力的に挟む一対の弾性挟持部を備えていることを特徴とする鍵盤楽器のアクション機構。
【請求項１２】
請求項２、請求項７〜請求項１１のいずれかに記載の鍵盤楽器のアクション機構において、前記ハンマー嵌合部には、スリット溝が前記ハンマー部材の長手方向に沿って設けられていることを特徴とする鍵盤楽器のアクション機構。
【請求項１３】
請求項２、請求項７〜請求項１２のいずれかに記載の鍵盤楽器のアクション機構において、前記複数のハンマー保持部は、前記鍵の配列方向に沿って一体に形成されていることを特徴とする鍵盤楽器のアクション機構。
【発明の詳細な説明】
【技術分野】
【０００１】
この発明は、ピアノなどの鍵盤楽器のアクション機構に関する。
【背景技術】
【０００２】
例えば、鍵盤楽器のアクション機構においては、特許文献１に記載されているように、鍵の押鍵操作によって回転するウイペンと、このウイペンの回転動作に応じて駆動されるジャックと、このジャックによって駆動されて弦を打撃するハンマー部材とを備え、これらが複数の鍵それぞれに対応して設けられた構成のものが知られている。
【先行技術文献】
【特許文献】
【０００３】
【特許文献１】特開２００２−２５８８３５号公報
【０００４】
このような鍵盤楽器のアクション機構は、複数の鍵の配列方向にその全長に亘って梁渡されたウイペンレールとハンマーレールとを備えている。ウイペンレールには、複数のウイペン保持部が複数の鍵それぞれに対応して取り付けられており、これらウイペン保持部には、複数のウイペンがそれぞれピンによって回転可能に取り付けられている。
【０００５】
また、ハンマーレールには、複数のハンマー保持部が複数のウイペンそれぞれに対応して取り付けられており、これらハンマー保持部には、複数のハンマー部材の各シャンクがそれぞれピンによって回転可能に取り付けられている。
【発明の概要】
【発明が解決しようとする課題】
【０００６】
このような鍵盤楽器のアクション機構では、ウイペンをピンによってウイペン保持部に個別に取り付けなければならないため、複数のウイペンをウイペンレールに取り付ける際に、複数のウイペンの取付手順に応じて複数のウイペン保持部を順番にウイペンレールに個別に取り付ける必要がある。このため、組立て作業が面倒で、生産性が悪く、低コスト化を図ることができないという問題がある。
【０００７】
また、この鍵盤楽器のアクション機構では、ハンマー部材をピンによってハンマー保持部に個別に取り付けなければならないため、複数のハンマー部材をハンマーレールに取り付ける際に、複数のハンマー部材の取付手順に応じて複数のハンマー保持部を順番にハンマーレールに個別に取り付ける必要がある。このため、組立て作業が面倒で、生産性が悪く、低コスト化を図ることができないという問題がある。
【０００８】
この発明が解決しようとする課題は、組立て作業性および生産性が良く、低コスト化を図ることができる鍵盤楽器のアクション機構を提供することである。
【課題を解決するための手段】
【０００９】
この発明は、並列に配列された複数の鍵と、前記複数の鍵それぞれに対応して設けられ、当該複数の鍵それぞれの押鍵操作に応じて変位する複数の伝達部材と、前記複数の伝達部材それぞれに設けられ、押鍵操作に対応する前記伝達部材の変位に応じて回転動作することにより、前記押鍵操作されている鍵に対してアクション荷重を付与する複数のハンマー部材と、前記複数の伝達部材それぞれに対応して設けられ、当該複数の伝達部材それぞれを回転自在に保持する伝達保持軸を有する複数の伝達保持部と、を備え、前記各伝達部材は、前記伝達保持軸に挿脱可能に挿入して回転自在に取り付けられる伝達嵌合部を有していることを特徴とする鍵盤楽器のアクション機構である。
【００１０】
また、この発明は、並列に配列された複数の鍵と、前記複数の鍵それぞれに対応して設けられ、当該複数の鍵それぞれの押鍵操作に応じて変位する複数の伝達部材と、前記複数の伝達部材それぞれに設けられ、押鍵操作に対応する前記伝達部材の変位に応じて回転動作することにより、前記押鍵操作されている鍵に対してアクション荷重を付与する複数のハンマー部材と、前記複数のハンマー部材それぞれに対応して設けられ、当該複数のハンマー部材それぞれを回転自在に保持するハンマー保持軸を有する複数のハンマー保持部と、を備え、前記各ハンマー部材は、前記ハンマー保持軸に挿脱可能に挿入して回転自在に取り付けられるハンマー嵌合部を有していることを特徴とする鍵盤楽器のアクション機構である。
【発明の効果】
【００１１】
この発明によれば、伝達部材の伝達嵌合部を伝達保持部の伝達保持軸にその軸方向と直交する方向から挿脱可能に挿入するだけで、伝達部材を伝達保持部に簡単にかつ容易に取り付けることができる。このため、予め、複数の伝達保持部を個別に製作して組み付ける必要がなく、複数の伝達保持部を一度に設置して、伝達部材を伝達保持部に個別に取り付けることができる。これにより、組立て作業が容易にできるので、生産性が良く、低コスト化を図ることができる。
【００１２】
また、この発明によれば、ハンマー部材のハンマー嵌合部をハンマー保持部のハンマー保持軸にその軸方向と直交する方向から挿脱可能に挿入するだけで、ハンマー部材をハンマー保持部に簡単にかつ容易に取り付けることができる。このため、予め、複数のハンマー保持部を個別に製作して組み付ける必要がなく、複数のハンマー保持部を一度に設置して、ハンマー部材をハンマー保持部に個別に取り付けることができる。これにより、組立て作業が容易にできるので、生産性が良く、低コスト化を図ることができる。
【図面の簡単な説明】
【００１３】
【図１】この発明を電子鍵盤楽器に適用した一実施形態における鍵盤装置を示した平面図である。
【図２】図１に示された鍵盤装置のＡ−Ａ矢視における拡大側面図である。
【図３】図２に示された鍵盤装置において、複数の支持部材に伝達支持レールおよびハンマー支持レールを鍵の配列方向の全長に亘って配置した状態を示した拡大側面図である。
【図４】図３に示された支持部材を示した拡大斜視図である。
【図５】図２に示された伝達保持部材および伝達部材の各一部を示し、（ａ）はその拡大平面図、（ｂ）はそのＢ−Ｂ矢視における拡大断面図である。
【図６】図２に示された伝達保持部材および伝達部材を示し、（ａ）はその拡大側面図、（ｂ）はその伝達部材の拡大底面図である。
【図７】図２に示された伝達保持部材に伝達部材を取り付ける工程を示し、（ａ）は伝達保持部材を伝達部材の上方に起立させて対応させた状態を示した拡大側面図、（ｂ）は伝達保持部材を伝達部材に取り付けて時計回りに回転させて鍵の上側に配置した状態を示した拡大側面図である。
【図８】図２に示されたハンマー保持部材およびハンマー部材の各一部を示し、（ａ）はその拡大平面図、（ｂ）はそのＣ−Ｃ矢視における拡大断面図である。
【図９】図８（ａ）に示されたハンマー保持部材およびハンマー部材を示した拡大側面図である。
【図１０】図２に示されたハンマー保持部材にハンマー部材を取り付ける工程を示し、（ａ）はハンマー保持部材をハンマー部材の上方に起立させて対応させた状態を示した拡大側面図、（ｂ）はハンマー保持部材をハンマー部材に取り付けて反時計回りに回転させて伝達部材の上側に配置した状態を示した拡大側面図である。
【図１１】この発明のアクション機構における伝達部材の伝達嵌合部と伝達保持部材の伝達保持軸との第１変形例を示し、（ａ）は伝達嵌合部を伝達保持軸に嵌合させる際の状態を示した要部の拡大側面図、（ｂ）は伝達嵌合部を伝達保持軸に嵌合させて時計回りに回転させた状態を示した要部の拡大側面図である。
【図１２】この発明のアクション機構におけるハンマー部材のハンマー嵌合部とハンマー保持部材のハンマー保持軸との第２変形例を示し、（ａ）はハンマー嵌合部をハンマー保持軸に嵌合させる際の状態を示した要部の拡大側面図、（ｂ）はハンマー嵌合部をハンマー保持軸に嵌合させて反時計回りに回転させた状態を示した要部の拡大側面図である。
【図１３】この発明の鍵盤装置において、伝達支持レールとハンマー支持レールとをそれぞれ複数に分割した第３変形例を示した平面図である。
【図１４】この発明の鍵盤装置において、ハンマー保持部のガイド部の第４変形例を示した拡大平面図である。
【発明を実施するための形態】
【００１４】
以下、図１〜図１０を参照して、この発明を電子鍵盤楽器に適用した一実施形態について説明する。
この電子鍵盤楽器は、図１および図２に示すように、鍵盤装置１を備えている。この鍵盤装置１は、楽器ケース（図示せず）内に組み込まれるものである。この鍵盤装置１は、並列に配列された複数の鍵２と、これら複数の鍵２の押鍵操作に応じて各鍵２それぞれにアクション荷重を付与するアクション機構３と、を備えている。
【００１５】
複数の鍵２は、図１および図２に示すように、白鍵２ａおよび黒鍵２ｂを有し、これら白鍵２ａおよび黒鍵２ｂが例えば８８個並列に配列されている。これら複数の鍵２は、その前後方向（図２では左右方向）におけるほぼ中間部がそれぞれバランスピン４ａ、４ｂによって上下方向に回転可能に支持され、この状態でベース板５上に並列に配列されている。
【００１６】
この場合、ベース板５上には、図２に示すように、複数の鍵２の各前端部（図２では右端部）の各下面がそれぞれ接離可能に当接するクッション材６ａ、６ｂが鍵２の配列方向に沿って設けられている。また、このベース板５上には、複数の鍵２の各後端部（図２では左端部）の各下面がそれぞれ接離可能に当接するクッション材７が鍵２の配列方向に沿って設けられている。さらに、このベース板５上には、複数の鍵２がその配列方向に横振れするのを防ぐためのガイドピン８ａ、８ｂがそれぞれ起立して設けられている。
【００１７】
アクション機構３は、図１および図２に示すように、複数の鍵２の押鍵操作に応じてそれぞれ上下方向に回転する複数の伝達部材１０と、これら複数の伝達部材１０の各回転動作に応じてそれぞれ上下方向に回転して複数の鍵２それぞれにアクション荷重を付与する複数のハンマー部材１１と、を備えている。
【００１８】
また、このアクション機構３は、図２に示すように、複数の伝達部材１０をそれぞれ回転自在に保持する複数の伝達保持部１３が鍵２の配列方向に沿って一体に形成された伝達保持部材１２と、複数のハンマー部材１１をそれぞれ回転自在に保持する複数のハンマー保持部１５が鍵２の配列方向に沿って一体に形成されたハンマー保持部材１４と、を備えている。
【００１９】
この場合、伝達保持部材１２は、図２および図３に示すように、鍵２の配列方向に沿って配置された伝達支持レール１７上に取り付けられている。また、ハンマー保持部材１４は、鍵２の配列方向に沿って配置されたハンマー支持レール１８上に取り付けられている。これら伝達支持レール１７およびハンマー支持レール１８は、複数の支持部材２０に支持されて、複数の鍵２の上方に配置されている。
【００２０】
複数の支持部材２０は、図１〜図４に示すように、鍵２の配列方向の全長における予め定められた複数個所にそれぞれ位置した状態で、ベース板５上に起立して取り付けられている。この場合、複数の鍵２は全体で例えば８８個配列されている。これに応じて、複数の支持部材２０は、複数の鍵２の配列方向における両端部と、例えば２０個の鍵２ごとに位置する３箇所の各鍵２間と、の個所に配置されている。すなわち、この実施形態では、支持部材２０が鍵２の配列方向の全長における５箇所に配置されている。
【００２１】
この支持部材２０は、ＡＢＳ樹脂などの硬質の合成樹脂からなり、図３および図４に示すように、ベース板５上に取り付けられる取付部２０ａと、この取付部２０ａ上に一体に形成されたブリッジ部２０ｂと、を有している。これにより、支持部材２０は、取付部２０ａがベース板５上に取り付けられることにより、ブリッジ部２０ｂが鍵２の上方に突出した状態で、複数の鍵２の後部間に配置されるように構成されている。
【００２２】
この場合、ブリッジ部２０ｂの後端下部、つまり取付部２０ａの後側上部（図３では左側上部）には、図３および図４に示すように、伝達支持レール１７を支持する後側レール支持部２０ｃが設けられている。また、ブリッジ部２０ｂの前側上部（図３では右側上部）には、ハンマー支持レール１８を支持する前側レール支持部２０ｄが設けられている。さらに、ブリッジ部２０ｂの後側上部（図３では左側上部）には、ストッパレール支持部２０ｅが設けられており、ブリッジ部２０ｂの上部には、基板レール支持部２０ｆが設けられている。
【００２３】
伝達支持レール１７は、図２および図３に示すように、断面が矩形状の角筒状に形成され、複数の鍵２の配列方向の全長に亘る長さに形成されている。この伝達支持レール１７は、鍵２の配列方向における所定箇所が複数の支持部材２０の各後側レール支持部２０ｃ上に取り付けられるように構成されている。
【００２４】
この伝達支持レール１７上には、図２および図３に示すように、複数の伝達保持部材１２および複数のストッパ支持部２１が鍵２の配列方向に沿って取り付けられている。この場合、複数のストッパ支持部２１は、金属板からなり、複数の支持部材１０に対応する伝達支持レール１７上の５箇所に、図３に示すように、複数の伝達保持部材１２の上方に突出した状態で取り付けられている。
【００２５】
伝達保持部材１２は、ＡＢＳ樹脂などの硬質の合成樹脂からなり、図５（ａ）および図５（ｂ）に示すように、本体板１２ａ上に複数の伝達保持部１３が例えば１０個程度の各鍵２に対した状態で鍵２の配列方向に沿って一体に形成されている。この伝達保持部１３は、伝達部材１０が回転自在に取り付けられて伝達部材１０の横触れを防ぐ軸支持部２２と、梱包輸送時に伝達部材１０の横触れを規制する規制部２３と、を有している。
【００２６】
この場合、軸支持部２２は、図３および図５に示すように、伝達保持部材１２の本体板１２ａ上の後端部（図３では左端部）に各鍵２と対応して形成された一対のガイド壁２２ａと、これら一対のガイド壁２２ａ間に形成された伝達保持軸２４と、を有している。一対のガイド壁２２ａは、伝達部材１０の後述する伝達嵌合部２６を両側から摺動可能に挟んだ状態で、伝達部材１０の伝達嵌合部２６を回転可能にガイドするガイド部を構成している。
【００２７】
規制部２３は、図３および図５に示すように、伝達保持部材１２の本体板１２ａの前部（図３では右側部）上に各伝達部材１０と対応して形成された一対の規制壁である。この規制部２３は、図５（ａ）に示すように、伝達部材１０の後側下部を挟んだ状態で、伝達部材１０を回転可能にガイドするほか、梱包輸送時に伝達部材１０の横振れを規制するように構成されている。
【００２８】
伝達部材１０は、ＡＢＳ樹脂などの硬質の合成樹脂からなり、図２および図６に示すように、鍵２の押鍵操作に応じて上下方向に回転してハンマー部材１１を上下方向に回転させる伝達本体部２５と、この伝達本体部２５に一体に形成されて伝達保持部１３の伝達保持軸２４に回転自在に取り付けられる伝達嵌合部２６と、を有している。
【００２９】
伝達本体部２５は、図６（ａ）および図６（ｂ）に示すように、ワッフル形状に形成されている。すなわち、この伝達本体部２５は、厚みの薄い縦板部２５ａと、この縦板部２５ａの外周部および両側面に格子状に形成された複数のリブ部２５ｂと、を有し、これらがワッフル形状に形成されている。
【００３０】
この伝達本体部２５は、図６（ａ）および図６（ｂ）に示すように、縦板部２５ａの形状および複数のリブ部２５ｂの形成密度によって、伝達部材１０の重量を調整するように構成されている。また、この伝達本体部２５は、縦板部２５ａの厚みを薄く形成しても、複数のリブ部２５ｂによって強度が確保されると共に、成形時に縦板部２５ａにヒケの発生を防ぐように構成されている。
【００３１】
伝達嵌合部２６は、図６および図７に示すように、全体が逆Ｃ字形状に形成され、伝達本体部２５の後端部に連結首部２６ａを介して後方に突出して形成されている。すなわち、この伝達嵌合部２６は、図５（ａ）に示すように、鍵２の配列方向の厚みが軸支持部２２の一対のガイド壁２２ａ間とほぼ同じ長さに形成されて、一対のガイド壁２２ａ間に摺動可能に挿入されるように構成されている。
【００３２】
また、この伝達嵌合部２６は、図６および図７に示すように、その中心部に伝達保持部１３の伝達保持軸２４が嵌合する嵌合孔２６ｂが形成され、この嵌合孔２６ｂの周囲における一部、つまり嵌合孔２６ｂの周囲における後部に伝達保持軸２４が挿脱可能に挿入する挿入口２６ｃが形成され、この挿入口２６ｃを通して伝達保持軸２４が嵌合孔２６ｂに挿入することにより、伝達保持軸２４に回転可能に取り付けられるように構成されている。
【００３３】
この場合、伝達保持部１３の伝達保持軸２４は、図５（ｂ）に示すように、その前後の両側部に切欠き部２４ａがそれぞれほぼ垂直な状態で互いに平行に形成されている。これにより、伝達保持軸２４は、その前後方向（図５（ｂ）では左右方向）の長さＬ１が伝達保持軸２４の外径Ｒ１よりも小さく（Ｌ１＜Ｒ１）形成されている。また、伝達嵌合部２６は、図６（ａ）に示すように、その嵌合孔２６ｂの内径Ｒ２が伝達保持軸２４の外径Ｒ１と同じ大きさ（Ｒ２≒Ｒ１）に形成されている。
【００３４】
また、この伝達嵌合部２６の挿入口２６ｃは、図６および図７に示すように、嵌合孔２６ｂの中心から伝達嵌合部２６の外周に向けて放射状に形成されている。これにより、挿入口２６ｃは、伝達嵌合部２６の外周側が広く、内周側である嵌合孔２６ｂの外周側が狭くなるように形成されている。この挿入口２６ｃは、最も狭い箇所つまり嵌合孔２６ｂの外周に位置する箇所の開口幅Ｗ１が伝達保持軸２４の前後方向の長さＬ１と同じ長さであっても良いが、それよりも少し狭く（Ｗ１≦Ｌ１）形成されていることが望ましい。
【００３５】
これにより、伝達嵌合部２６は、図７（ａ）に示すように、挿入口２６ｃを通して伝達保持軸２４が嵌合孔２６ｂに挿入する際に、伝達部材１０を伝達保持軸２４の上方に起立させて挿入口２６ｃを伝達保持軸２４の切欠き部２４ａに対応させ、この状態で圧入により挿入口２６ｃが伝達保持軸２４の切欠き部２４ａで少し押し広げられることにより、伝達保持軸２４が嵌合孔２６ｂに挿入して嵌合するように構成されている。
【００３６】
また、この伝達嵌合部２６は、図５（ａ）および図６（ｂ）に示すように、その厚み方向における中間部にスリット溝２６ｄが、伝達保持軸２４の軸方向と直交する方向、つまり伝達部材１０の長手方向に沿って形成された構成になっている。このため、伝達嵌合部２６は、その厚み方向である伝達保持軸２４の軸方向に弾性変形するように構成されている。これにより、伝達嵌合部２６は、一対のガイド壁２２ａ間に挿入された際に、スリット溝２６ｄによって一対のガイド壁２２ａの各対向面に摺動可能に弾接するように構成されている。
【００３７】
ところで、伝達部材１０の伝達本体部２５における後側下部には、図６（ａ）および図６（ｂ）に示すように、伝達保持部材１２の規制部２３に規制される肉厚の薄い係合部２７が設けられている。この係合部２７は、伝達本体部２５の後側下部の両側面を切り欠くことにより、その厚みが規制部２３の一対の規制壁間とほぼ同じ長さに形成されている。これにより、係合部２７は、規制部２３の一対の規制壁間に挿入されることにより、伝達部材１０を回転可能にガイドするほか、梱包輸送時に伝達部材１０の横振れを規制するように構成されている。
【００３８】
また、この伝達部材１０の伝達本体部２５は、図２および図７（ｂ）に示すように、その下部が鍵２の上面に向けて突出して形成されている。この伝達本体部２５の下端部には、第１伝達フェルト２８が設けられている。この第１伝達フェルト２８は、鍵２の後側上部に設けられたキャプスタン２９が下側から当接するように構成されている。これにより、伝達部材１０は、鍵２が押鍵された際に、第１伝達フェルト２８に下側から当接する鍵２のキャプスタン２９によって押し上げられて、伝達保持軸２４を中心に反時計回りに回転するように構成されている。
【００３９】
さらに、伝達部材１０の伝達本体部２５は、図２および図７（ｂ）に示すように、その前端上部が後端上部よりも高く形成され、これにより上辺部が後部下がりに傾斜するように形成されている。この伝達本体部２５の前端上部には、第２伝達フェルト３０が設けられている。
【００４０】
この第２伝達フェルト３０は、図２および図７（ｂ）に示すように、ハンマー部材１１の後述するハンマー突起部３１が上方から当接するように構成されている。これにより、伝達部材１０は、鍵２が押鍵されて伝達保持軸２４を中心に反時計回りに回転した際に、ハンマー部材１１のハンマー突起部３１を押し上げてハンマー部材１１を時計回りに回転させるように構成されている。
【００４１】
一方、ハンマー支持レール１８は、図１〜図３に示すように、伝達支持レール１７と同様、断面が矩形状の角筒状に形成され、複数の鍵２の配列方向の全長に亘る長さに形成されている。このハンマー支持レール１８は、鍵２の配列方向における所定箇所が複数の支持部材２０の各前側レール支持部２０ｄ上に取り付けられるように構成されている。このハンマー支持レール１８上には、複数のハンマー保持部材１４が鍵２の配列方向に沿って取り付けられている。
【００４２】
ハンマー保持部材１４は、ＡＢＳ樹脂などの硬質の合成樹脂からなり、図８（ａ）および図８（ｂ）に示すように、上方が開放されたレール状の本体板１４ａの後端部に複数のハンマー保持部１５が例えば１０個程度の各鍵２に対した状態で鍵２の配列方向に沿って一体に形成されている。このハンマー保持部１５は、ハンマー部材１１が回転自在に取り付けられて、ハンマー部材１１の横振れを防ぐ軸支持部３２を有している。
【００４３】
この場合、軸支持部３２は、図３および図８に示すように、ハンマー保持部材１４の本体板１４ａ上の後端部（図３では左端部）に各伝達部材１０と対応して形成された一対のガイド壁３２ａと、これら一対のガイド壁３２ａ間に形成されたハンマー保持軸３４と、を有している。一対のガイド壁３２ａは、ハンマー部材１１の後述するハンマー嵌合部３７をその配列方向の両側から摺動可能に挟んだ状態で、ハンマー部材１１のハンマー嵌合部３７を回転可能にガイドするガイド部を構成している。
【００４４】
この場合、ガイド部である一対のガイド壁３２ａには、図８（ａ）および図８（ｂ）に示すように、ハンマー保持軸３４からハンマー部材１１の後端部側（図８（ａ）では左側）に向けて離れた箇所、つまり軸支持部３２の一対のガイド壁３２ａの後端部に位置し、ハンマー部材１１の後述するハンマーアーム３６をその配列方向の両側から挟む一対の挟持突起３２ｂが設けられている。
【００４５】
また、ハンマー部材１１間に位置して互いに隣接する一対のガイド壁３２ａ間には、図８（ａ）に示すように、連結押え部３２ｃが設けられている。この連結押え部３２ｃは、ハンマー部材１１間に位置して互いに隣接する一対の挟持突起３２ｂ同士を連結し、かつハンマー部材１１の配列方向における一対の挟持突起３２ｂの弾性変形を抑制して、一対の挟持突起３２ｂをハンマー部材１１のハンマーアーム３６の両側に押し付けるように構成されている。
【００４６】
これにより、ハンマー部材１１は、図８（ａ）および図８（ｂ）に示すように、一対のガイド壁３２ａによってハンマー嵌合部３７がその配列方向の両側から摺動可能に挟まれると共に、一対の挟持突起３２ｂによってハンマーアーム３６がその配列方向の両側から摺動可能に挟まれ、この状態で連結押え部３２ｃによって一対の挟持突起３２ｂがハンマーアーム３６の両側に押し付けられることにより、ハンマー部材１１の横振れが阻止されるように構成される。
【００４７】
ハンマー部材１１は、ＡＢＳ樹脂などの硬質の合成樹脂からなり、図８および図９に示すように、ハンマー部３５とハンマーアーム３６とを有し、これらが一体に形成された構成になっている。ハンマー部３５は、杓形状の縦板部３５ａを有し、その外周部およびその両側面にリブ部３５ｂが形成された構成になっている。ハンマーアーム３６は、前後方向の長さが伝達部材１０とほぼ同じ長さの横板部３６ａを有し、その外周部および両側面にリブ部３６ｂが形成された構成になっている。
【００４８】
このハンマーアーム３６の前端部（図９では右端部）には、図８および図９に示すように、ハンマー保持部材１４の軸支持部３２に回転自在に取り付けられるハンマー嵌合部３７が形成されている。このハンマー嵌合部３７は、伝達嵌合部２６と同様、全体がＣ字形状に形成され、ハンマーアーム３６の前端部に連結首部３７ａを介して前方に突出して形成されている。すなわち、このハンマー嵌合部３７は、鍵２の配列方向の厚みが軸支持部３２の一対のガイド壁３２ａ間とほぼ同じ長さに形成されて、一対のガイド壁３２ａ間に摺動可能に挿入されるように構成されている。
【００４９】
また、このハンマー嵌合部３７は、図８〜図１０に示すように、その中心にハンマー保持部１５のハンマー保持軸３４が嵌合する嵌合孔３７ｂが形成され、この嵌合孔３７ｂの周囲における一部、つまり嵌合孔３７ｂの周囲における前部にハンマー保持軸３４が挿脱可能に挿入する挿入口３７ｃが形成され、この挿入口３７ｃを通してハンマー保持軸３４が嵌合孔３７ｂに挿入することにより、ハンマー保持軸３４に回転可能に取り付けられるように構成されている。
【００５０】
この場合、ハンマー保持部１５のハンマー保持軸３４は、図８〜図１０に示すように、その前後の両側部に切欠き部３４ａがそれぞれほぼ垂直な状態で互いに平行に形成されている。これにより、ハンマー保持軸３４は、その前後方向（図８（ｂ）では左右方向）の長さＬ２がハンマー保持軸３４の外径Ｒ３よりも小さく（Ｌ２＜Ｒ３）形成されている。また、ハンマー嵌合部３７は、図１０（ａ）に示すように、その嵌合孔３７ｂの内径Ｒ４がハンマー保持軸３４の外径Ｒ３と同じ大きさ（Ｒ４≒Ｒ３）に形成されている。
【００５１】
また、このハンマー嵌合部３７の挿入口３７ｃは、図９および図１０に示すように、嵌合孔３７ｂの中心からハンマー嵌合部３７の外周に向けて放射状に形成されている。これにより、挿入口３７ｃは、伝達嵌合部２の挿入口２６ｃと同様、ハンマー嵌合部３７の外周側が広く、内周側である嵌合孔３７ｂの外周側が狭くなるように形成されている。この挿入口３７ｃは、最も狭い箇所、つまり嵌合孔３７ｂの外周に位置する箇所の開口幅Ｗ２がハンマー保持軸３４の前後方向の長さＬ２と同じ長さであっても良いが、それよりも少し狭く（Ｗ３≦Ｌ２）形成されていることが望ましい。
【００５２】
これにより、ハンマー嵌合部３７は、図９および図１０に示すように、挿入口３７ｃを通してハンマー保持軸３４が嵌合孔３７ｂに挿入する際に、ハンマー部材１１をハンマー保持軸３４の上方に起立させて挿入口３７ｃをハンマー保持軸３４の切欠き部３４ａに対応させ、この状態で圧入により挿入口３７ｃがハンマー保持軸３４の切欠き部３４ａで少し押し広げられることにより、ハンマー保持軸３４が嵌合孔３７ｂに挿入して嵌合するように構成されている。
【００５３】
また、このハンマー嵌合部３７は、図８（ａ）に示すように、その厚み方向における中間部にスリット溝３７ｄが、ハンマー保持軸３４の軸方向と直交する方向、つまりハンマー部材１１の長手方向に沿って形成された構成になっている。これにより、ハンマー嵌合部３７は、その厚み方向であるハンマー保持軸３４の軸方向に弾性変形するように構成されている。
【００５４】
これにより、ハンマー嵌合部３７は、図８（ａ）に示すように、一対のガイド壁３２ａ間に挿入された際に、スリット溝３７ｄによって一対のガイド壁３２ａの各対向面に摺動可能に弾接するように構成されている。この場合、ハンマー嵌合部３７の後端部に位置するハンマーアーム３６の前端部は、一対のガイド壁３２ａの各後端部に設けられた一対の挟持突起３２ｂ間にハンマーアーム３６の配列方向の両側から摺動可能に挟まれ、この状態で連結押え部３２ｃによって一対の挟持突起３２ｂがハンマーアーム３６の両側から押し付けられるように構成されている。
【００５５】
さらに、ハンマーアーム３６の前端下部には、図９および図１０に示すように、伝達部材１０の伝達本体部２５の前端上部に設けられた第２伝達フェルト３０に上方から当接するハンマー突起部３１が設けられている。これにより、ハンマー部材１１は、伝達部材１０が反時計回りに回転すると、その回転に応じてハンマー突起部３１が押し上げられることにより、ハンマー保持部１５のハンマー保持軸３４を中心に時計回りに回転するように構成されている。
【００５６】
また、このハンマーアーム３６は、図２および図１０（ｂ）に示すように、その後端下部が下限ストッパ３８に上方から当接することにより、初期位置である下限位置に規制されるように構成されている。すなわち、この下限ストッパ３８は、伝達支持レール１７上に設けられた複数のストッパ支持部２１に支持された下限ストッパレール３９上に取り付けられている。この場合、複数のストッパ支持部２１は、図１０（ａ）および図１０（ｂ）に示すように、その各上部が後部下がりに傾斜して形成されている。
【００５７】
下限ストッパレール３９は、図１および図１０に示すように、下側に開放されたレール状に形成され、鍵２の配列方向の全長に亘る長さに形成されている。この下限ストッパレール３９は、複数のストッパ支持部２１の各上部に後部下りに傾斜した状態で取り付けられている。このため、下限ストッパ３８は、下限ストッパレール３９上に後部下がりに傾斜した状態で設けられている。これにより、ハンマー部材１０は、ハンマーアーム３６の後端下部が下限ストッパ３８に上方から当接することにより、後部下がりに傾斜した状態で、初期位置に位置規制されるように構成されている。
【００５８】
また、このハンマーアーム３６は、図２および図１０（ｂ）に示すように、その後端上部が上限ストッパ４０に下方から当接することにより、上限位置が規制されるように構成されている。すなわち、この上限ストッパ４０は、複数の支持部材２０の各ストッパレール支持部２０ｅに取り付けられた上限ストッパレール４１の下面に取り付けられている。
【００５９】
この場合、上限ストッパレール４１は、図２および図１０（ｂ）に示すように、断面がほぼＬ字形状に形成された長板であり、鍵２の配列方向の全長に亘る長さに形成されている。この上限ストッパレール４１は、その水平部が複数の支持部材２０の各ストッパレール支持部２０ｅから後方に突出した状態で、垂直部が各ストッパレール支持部２０ｅにビス４１ａによって取り付けられている。
【００６０】
上限ストッパ４０は、図２および図１０（ｂ）に示すように、上限ストッパレール４１の水平部の下面に設けられている。これにより、ハンマー部材１０は、ハンマーアーム３６がハンマー保持部１５のハンマー保持軸３４を中心に時計回りに回転した際に、ハンマーアーム３６の後端上部が上限ストッパ４０に下方から当接することにより、上限位置が規制されるように構成されている。
【００６１】
さらに、ハンマーアーム３６の前端上部には、図２および図１０（ｂ）に示すように、スイッチ押圧部４２が形成されている。このハンマーアーム３６のスイッチ押圧部４２に対応する上方には、スイッチ基板４３が一対の基板支持レール４４によって配置されている。これら一対の基板支持レール４４は、それぞれ断面がＬ字形状に形成された長板であり、鍵２の配列方向の全長に亘る長さに形成されている。
【００６２】
これら一対の基板支持レール４４は、図２および図１０（ｂ）に示すように、その各水平部が複数の支持部材２０の各基板レール支持部２０ｆ上に所定間隔離れた状態で取り付けられている。スイッチ基板４３は、図１に示すように、複数に分割されている。すなわち、この実施形態では、スイッチ基板４３が例えば４つに分割されて２０個程度の各鍵２に対応する長さで、一対の基板支持レール４４上に取り付けられている。
【００６３】
これらスイッチ基板４３の下面には、図１、図２および図１０（ｂ）に示すように、ゴムスイッチ４５がそれぞれ設けられている。このゴムスイッチ４５は、鍵２の配列方向に長いゴムシートに逆ドーム状の膨出部４５ａが複数のハンマーアーム３６にそれぞれ対応して形成された構成になっている。この膨出部４５ａの内部には、スイッチ基板４３の下面に設けられた複数の固定接点（図示せず）に接離可能に接触する複数の可動接点４５ｂがハンマーアーム３６の前後方向に沿って設けられている。
【００６４】
これにより、ゴムスイッチ４５は、図２に示すように、ハンマー部材１１がハンマー保持部１５のハンマー保持軸３４を中心に時計回りに回転して、ハンマーアーム３６のスイッチ押圧部４２によって下側から押圧された際に、逆ドーム状の膨出部４５ａが弾性変形して、複数の可動接点４５ｂが時間を持って順次、複数の固定接点に接触することにより、鍵２の押鍵強さに応じたスイッチ信号を出力するように構成されている。
【００６５】
次に、このような電子鍵盤楽器の鍵盤装置１を組み立てる場合について説明する。
まず、ベース板５上に複数の鍵２および複数の支持部材２０を設置する。この場合には、図１および図２に示すように、８８個の鍵２をベース板５上にバランスピン４ａ、４ｂによってそれぞれ上下方向に回転可能に取り付けた状態で並列に配列させる。また、支持部材２０をベース板５上における鍵２の配列方向における両端部に位置する箇所と、２０個の鍵２ごとに位置する３箇所の各鍵２間の箇所とに取り付ける。
【００６６】
この状態で、図３に示すように、複数の支持部材２０の各後側レール支持部２０ｃ上に伝達支持レール１７を取り付けて鍵２の配列方向の全長に亘って配置すると共に、この伝達支持レール１７上に複数の伝達保持部材１２および複数のストッパ支持部２１を鍵２の配列方向に沿って取り付ける。
【００６７】
この場合には、複数のストッパ支持部２１を、複数の支持部材１０に対応する伝達支持レール１７上の５箇所に、複数の伝達保持部材１２の上方に突出させた状態で取り付ける。同様に、複数の支持部材２０の各前側レール支持部２０ｄ上にハンマー支持レール１８を取り付けて鍵２の配列方向の全長に亘って配置すると共に、このハンマー支持レール１８上に複数のハンマー保持部材１４を鍵２の配列方向に沿って取り付ける。
【００６８】
この状態で、複数の伝達部材１０を複数の伝達保持部材１２の各伝達保持部１３に順次取り付ける。この場合には、図７（ａ）に示すように、伝達部材１０を伝達保持部１３の上方に起立させて、伝達嵌合部２６の挿入口２６ｃを伝達保持部１３の伝達保持軸２４に対応させ、この状態で圧入により挿入口２６ｃを通して伝達保持軸２４が嵌合孔２６ｂに挿入する。
【００６９】
このときには、挿入口２６ｃは伝達嵌合部２６の外周側が広く、内周側が狭く形成されているので、挿入口２６ｃを伝達保持軸２４に簡単にかつ容易に挿入させることができる。また、伝達保持軸２４が挿入口２６ｃに挿入する際には、挿入口２６ｃが伝達保持軸２４の切欠き部２４ａで少し押し広げられることにより、挿入口２６ｃを通して伝達保持軸２４が嵌合孔２６ｂに挿入して回転可能に嵌合する。この状態で、伝達保持軸２４を中心に伝達部材１０を時計回りに回転させる。
【００７０】
このときには、伝達嵌合部２６が軸支持部２２の一対のガイド壁２２ａ間に挿入された際に、伝達嵌合部２６のスリット溝２６ｄによって、伝達嵌合部２６が一対のガイド壁２２ａの各対向面に摺動可能に弾接して挟まれた状態で回転する。このため、伝達部材１０が鍵２の配列方向に横触れすることがない。また、このときには、伝達部材１０の下部の第１伝達フェルト２８が鍵２のキャプスタン２９に上方から当接し、伝達部材１０が初期位置に規制される。
【００７１】
この場合には、伝達部材１０の後側下部に設けられた係合部２７が伝達保持部１５の規制部２３である一対の規制壁間に挿入されて、伝達部材１０を回転可能にガイドするほか、梱包輸送時に伝達部材１０が鍵２の配列方向に横振れするのを規制する。また、この状態では、伝達嵌合部２６の挿入口２６ｃが伝達保持軸２４の後部側の切欠き部２４ａに対応することにより、伝達嵌合部２６が不用意に伝達保持軸２４から挿入口２６ｃを通して抜け出すことがない。
【００７２】
このように、複数の伝達部材１０をそれぞれ起立させて伝達保持部材１２の各伝達保持部１３に対応させ、この状態で伝達部材１０の各伝達嵌合部２６を各伝達保持部１３の各伝達保持軸２４に順次嵌合させることにより、複数の伝達部材１０が伝達保持部材１２の各伝達保持部１３に順次取り付けられる。この取付作業は、複数の伝達保持部材の各伝達保持部１３にも同様に行われる。これにより、すべての鍵２に対応してすべての伝達部材１０が取り付けられる。
【００７３】
この後、複数のストッパ支持部２１の上部に下限ストッパレール３９を取り付け、この下限ストッパレール３９上に下限ストッパ３８を取り付ける。そして、複数のハンマー部材１１をそれぞれ複数のハンマー保持部材１４の各ハンマー保持部１５に順次取り付ける。この場合には、図１０（ａ）に示すように、ハンマー部材１１をハンマー保持部１５の上方に起立させて、ハンマー嵌合部３７の挿入口３７ｃをハンマー保持部１５のハンマー保持軸３４に対応させ、この状態で圧入により挿入口３７ｃを通してハンマー保持軸２３が嵌合孔３７ｂに挿入する。
【００７４】
このときには、挿入口３７ｃはハンマー嵌合部３７の外周側が広く、内周側が狭く形成されているので、挿入口３７ｃをハンマー保持軸３４に簡単にかつ容易に挿入させることができる。また、ハンマー保持軸３４が挿入口３７ｃに挿入する際には、挿入口３７ｃがハンマー保持軸３４の切欠き部３４ａで少し押し広げられることにより、挿入口３７ｃを通してハンマー保持軸３４が嵌合孔３７ｂに挿入して回転可能に嵌合する。
【００７５】
このときには、ハンマー嵌合部３７が軸支持部３２の一対のガイド壁３２ａ間に挿入された際に、ハンマー嵌合部３７のスリット溝３７ｄによって、ハンマー嵌合部３７が一対のガイド壁３２ａの各対向面に摺動可能に弾接して挟まれた状態で回転する。また、このときには、ハンマー嵌合部３７の後端部に位置するハンマーアーム３６の前端部が、一対のガイド壁３２ａの各後端部に設けられた一対の挟持突起３２ｂによってハンマーアーム３６の配列方向の両側から摺動可能に挟まれる。
【００７６】
この場合、一対の挟持突起３２ｂは、連結押え部３２ｃによってハンマーアーム３６の配列方向における弾性変形が抑制されている。このため、ハンマーアーム３６の前端部は、一対の挟持突起３２ｂが連結押え部３２ｃによってハンマーアーム３６の配列方向の両側から押し付けられる。これにより、ハンマー部材１１は、一対のガイド壁３２ａと一対の挟持突起３２ｂと連結押え部３２ｃとによって鍵２の配列方向に横触れすることがなく、上下方向に円滑に回転する。
【００７７】
この状態で、ハンマー保持軸３４を中心にハンマー部材１１を反時計回りに回転させる。すると、ハンマー部材１１のハンマー突起部３１が伝達部材１０の第２伝達フェルト３０に上方から当接すると共に、ハンマーアーム３６の後側下部が下限ストッパ３８に上方から当接する。これにより、ハンマー部材１１が後部下がりに傾斜した状態で初期位置に規制される。
【００７８】
このように、複数のハンマー部材１１をそれぞれ起立させてハンマー保持部材１４の各ハンマー保持部１５に対応させ、この状態でハンマー部材１１の各ハンマー嵌合部３７を各ハンマー保持部１５の各ハンマー保持軸３４に順次嵌合させることにより、複数のハンマー部材１１がハンマー保持部材１４の各ハンマー保持部１５に順次取り付けられる。この取付作業は、複数のハンマー保持部材１４の各ハンマー保持部１５にも同様に行われる。これにより、すべての鍵２に対応してすべてのハンマー部材１１が取り付けられる。
【００７９】
この後、複数の支持部材２０の各ストッパレール支持部２０ｅに上限ストッパレール４１を取り付け、この上限ストッパレール４１の下面に上限ストッパ４０を取り付ける。また、複数の支持部材２０の各基板レール支持部２０ｆ上に所定間隔離して一対の基板支持レール４４を取り付け、これら一対の基板支持レール４４上に複数のスイッチ基板４３を鍵２の配列方向に沿って取り付ける。
【００８０】
この場合には、予め、スイッチ基板４３の下面にゴムスイッチ４５を取り付ける。そして、このスイッチ基板４３を一対の基板支持レール４４上に取り付ける際には、ゴムスイッチ４５の各膨出部４５ａを複数のハンマーアーム３６の各スイッチ押圧部４２にそれぞれ対応させる。
【００８１】
次に、このような電子鍵盤楽器の鍵盤装置１の作用について説明する。
この鍵盤装置１では、鍵２を押鍵操作して演奏をする。このときには、鍵２が押鍵されると、鍵２がバランスピン４ａ、４ｂを中心に時計回りに回転し、鍵２のキャプスタン２９が伝達部材１０を押し上げる。これにより、伝達部材１０が伝達保持部１３の伝達保持軸２４を中心に反時計回りに回転する。
【００８２】
このときには、伝達部材１０の伝達嵌合部２６の嵌合孔２６ａに伝達保持部１３の伝達保持軸２４が嵌合しているので、伝達部材１０が鍵２の前後方向に位置ずれすることなく、伝達保持軸２４を中心に円滑に回転する。また、このときには、伝達部材１０の伝達嵌合部２６が伝達保持部１３の一対のガイド壁２２ａ間に摺動回転可能に挟まれた状態でガイドされるので、伝達部材１０が横振れすることなく、円滑に上下方向に回転する。
【００８３】
このように、伝達部材１０が鍵２のキャプスタン２９によって押し上げられて反時計回りに回転すると、この伝達部材１０の第２フェルト３０によってハンマー部材１１のハンマー突起部３１が押上げられる。これにより、ハンマー部材１１がハンマー保持部１５のハンマー保持軸３４を中心に時計回りに回転して、鍵２にアクション荷重を付与する。
【００８４】
このときには、伝達部材１０と同様、ハンマー部材１１のハンマー嵌合部３７の嵌合孔３７ａにハンマー保持部１５のハンマー保持軸３４が嵌合しているので、ハンマー部材１１が鍵２の前後方向に位置ずれすることなく、ハンマー保持軸３４を中心に円滑に回転する。また、このときには、ハンマー部材１１のハンマー嵌合部３７がハンマー保持部１５の一対のガイド壁３２ａ間および一対の挟持突起３２ｂに摺動回転可能に挟まれた状態でガイドされるので、ハンマー部材１１が横振れすることなく、円滑に上下方向に回転する。
【００８５】
このようにハンマー部材１１がハンマー保持軸３４を中心に時計回りに回転する際には、ハンマー部材１１の慣性モーメントによって鍵２にアクション荷重が付与される。すなわち、ハンマーアーム３６は、鍵２の前後方向の長さが伝達部材１０とほぼ同じ長さに形成され、このハンマーハンマーアーム３６の後端部にハンマー部３５が形成され、この状態でハンマーアーム３６の前端部の嵌合部３７がハンマー保持軸３４に回転可能に取り付けられている。
【００８６】
このため、ハンマー部材１１がハンマー保持軸３４を中心に時計回りに回転する際には、ハンマー部材１１に慣性モーメントが発生し、この慣性モーメントによって鍵２にアクション荷重が付与される。これにより、アコースティックピアノの鍵タッチ感に極めて近似した鍵タッチ感が得られる。
【００８７】
このようにハンマー部材１１がハンマー保持軸３４を中心に時計回りに回転すると、ハンマーアーム３６のスイッチ押圧部４２がスイッチ基板４３に設けられたゴムスイッチ４５の逆ドーム状の膨出部４５ａを下側から押圧する。これにより、逆ドーム状の膨出部４５ａが弾性変形して、膨出部４５ａ内の複数の可動接点４５ｂが時間を持って順次、複数の固定接点に接触することにより、鍵２の押鍵強さに応じたスイッチ信号を出力し、スピーカ（図示せず）から楽音を発生する。
【００８８】
そして、ハンマー部材１１がハンマー保持軸３４を中心に更に時計回りに回転すると、ハンマーアーム３６の後端上部が上限ストッパ４０に下側から当接して、ハンマー部材１１の回転が規制される。この後、鍵２が離鍵動作を開始すると、伝達部材１０が時計回りに回転して初期位置に戻ると共に、ハンマー部材１１が反時計回りに回転して初期位置に戻る。
【００８９】
このように、この電子鍵盤楽器のアクション機構３によれば、並列に配列された複数の鍵２と、これら複数の鍵２それぞれに対応して設けられ、当該複数の鍵２それぞれの押鍵操作に応じて変位する複数の伝達部材１０と、これら複数の伝達部材１０それぞれに設けられ、押鍵操作に対応する伝達部材１０の変位に応じて回転動作することにより、押鍵操作されている鍵２に対してアクション荷重を付与する複数のハンマー部材１１と、複数の伝達部材１０それぞれに対応して設けられ、当該複数の伝達部材１０それぞれを回転自在に保持する伝達保持軸２４を有する複数の伝達保持部２３と、を備え、各伝達部材１０は、伝達保持軸２４に挿脱可能に挿入して回転自在に取り付けられる伝達嵌合部２６を有していることにより、組立て作業が容易で、生産性が良く、低コスト化を図ることができる。
【００９０】
すなわち、この電子鍵盤楽器のアクション機構３では、伝達部材１０の伝達嵌合部２６を伝達保持部１３の伝達保持軸２４にその軸方向と直交する方向から挿脱可能に挿入するだけで、伝達部材１０を伝達保持部１３に簡単にかつ容易に取り付けることができる。このため、予め、複数の伝達保持部１３を個別に製作して組み付ける必要がなく、複数の伝達保持部１３を一度に設置して、伝達部材１０を伝達保持部１３に個別に取り付けることができる。これにより、組立て作業が容易にできるので、生産性が良く、低コスト化を図ることができる。
【００９１】
この場合、伝達保持部１３の伝達保持軸２４は、その両側部に一対の切欠き部２４ａがほぼ垂直な状態で互いに平行に形成されており、伝達部材１０の伝達嵌合部２６は、その中心部に嵌合孔２６ｂが形成され、その周囲に挿入口２６ｃが形成されていることにより、伝達保持軸２４の両側部に形成された一対の切欠き部２４ａに沿う垂直方向における上方から伝達嵌合部２６の挿入口２６ｃを通して伝達保持軸２４を伝達嵌合部２６の嵌合孔２６ｂに嵌合させれば良いので、伝達部材１０を伝達保持部１３に簡単にかつ容易に取り付けることができる。
【００９２】
すなわち、伝達保持軸２４は、その前後方向の長さＬ１が伝達保持軸２４の外径Ｒ１よりも小さく形成されており、伝達嵌合部２６は、その嵌合孔２６ｂの内径Ｒ２が伝達保持軸２４の外径Ｒ１と同じ大きさに形成され、その挿入口２６ｃの最も狭い箇所の開口幅Ｗ１が伝達保持軸２４の前後方向の長さＬ１よりも少し狭く形成されているので、伝達嵌合部２６の挿入口２６ｃを通して伝達保持軸２４が嵌合孔２６ｂに挿入する際に、圧入することにより伝達保持軸２４の切欠き部２４ａで挿入口２６ｃを少し押し広げて、伝達保持軸２４を嵌合孔２６ｂに嵌合させることができる。
【００９３】
このため、複数の伝達部材１０を伝達保持部材１２に取り付ける前に、予め、複数の伝達保持部１３が鍵２の配列方向に沿って形成された伝達保持部材１２を設置しても、複数の伝達保持部１３に各伝達部材１０を簡単にかつ容易に順次取り付けることができるので、組立て作業が容易にでき、生産性の向上を図ることができる。この場合、挿入口２６ｃは、伝達嵌合部２６の外周側が広く、内周側が狭く形成されているので、挿入口２６ｃを伝達保持軸２４に簡単にかつ容易に挿入させることができ、これによっても組立て作業が容易にでき、生産性の向上を図ることができる。
【００９４】
また、伝達保持部１３には、伝達部材１０の横振れを防ぐ一対のガイド壁２２ａが設けられていることにより、伝達保持部１３の伝達保持軸２４に伝達部材１０の伝達嵌合部２６を回転可能に取り付けると、伝達嵌合部２６を一対のガイド壁２２ａで摺動可能に挟むことができる。この場合、伝達嵌合部２６には、スリット溝２６ｄが伝達部材１０の長手方向に沿って形成されているので、伝達嵌合部２６が一対のガイド壁２２ａ間に挿入された際に、スリット溝２６ｄによって一対のガイド壁２２ａに摺動可能に弾接させることができる。
【００９５】
このため、このアクション機構３では、押鍵操作に応じて伝達部材１０が回転する際に、伝達保持部１３の一対のガイド壁２２ａによって伝達部材１０が鍵２の配列方向に横振れするのを防ぐことができ、これにより伝達部材１０を円滑にかつ良好に回転させることができると共に、伝達部材１０の位置精度と動作精度とを高めることができる。
【００９６】
さらに、伝達保持部１３には、伝達部材１０の横方向の位置を規制する規制部２３が設けられており、この規制部２３は、伝達保持部材１２の本体板１２ａ上に形成された一対の規制壁であり、伝達部材１０の伝達本体部２５における後側下部の両側面が切り欠かれた係合部２７を挟んだ状態で伝達部材１０の横方向の位置を規制する構成であることにより、規制部２３の一対の規制壁間で伝達部材１０の係合部２７を規制することができるので、伝達部材１０を回転カの射にガイドすることができるほか、梱包搬送時に伝達部材１０を横振れさせずに、良好に位置規制できる。
【００９７】
また、この電子鍵盤楽器のアクション機構３では、複数の伝達保持部１３が鍵２の配列方向に沿って一体に形成されていることにより、複数の伝達部材１０を伝達保持部材１２に取り付ける前に、予め、複数の伝達部材１０をそれぞれ回転自在に保持する複数の伝達保持部１３を個別に製作して組み付ける必要がなく、伝達保持部材１２を設置するだけで、簡単に複数の伝達保持部１３を一度に設置することができる。このため、これによっても組立て作業が容易にできるので、生産性が良く、低コスト化を図ることができる。
【００９８】
また、この電子鍵盤楽器のアクション機構３によれば、並列に配列された複数の鍵２と、これら複数の鍵２それぞれに対応して設けられ、当該複数の鍵２それぞれの押鍵操作に応じて変位する複数の伝達部材１０と、これら複数の伝達部材１０それぞれに設けられ、押鍵操作に対応する伝達部材１０の変位に応じて回転動作することにより、押鍵操作されている鍵２に対してアクション荷重を付与する複数のハンマー部材１１と、これら複数のハンマー部材１１それぞれに対応して設けられ、当該複数のハンマー部材１１それぞれを回転自在に保持するハンマー保持軸３４を有する複数のハンマー保持部１５と、を備え、各ハンマー部材１１は、ハンマー保持軸３４に挿脱可能に挿入して回転自在に取り付けられるハンマー嵌合部３７を有していることにより、組立て作業が容易で、生産性が良く、低コスト化を図ることができる。
【００９９】
すなわち、この電子鍵盤楽器のアクション機構３では、ハンマー部材１１のハンマー嵌合部３７をハンマー保持部１５のハンマー保持軸３４にその軸方向と直交する方向から挿脱可能に挿入するだけで、ハンマー部材１１をハンマー保持部１５に簡単にかつ容易に取り付けることができる。このため、予め、複数のハンマー保持部１５を個別に製作して組み付ける必要がなく、複数のハンマー保持部１５を一度に設置して、ハンマー部材１１をハンマー保持部１５に個別に取り付けることができる。これにより、組立て作業が容易にできるので、生産性が良く、低コスト化を図ることができる。
【０１００】
この場合、ハンマー保持部１５のハンマー保持軸３４は、その両側部に一対の切欠き部３４ａがほぼ垂直な状態で互いに平行に形成されており、ハンマー部材１１のハンマー嵌合部３７は、その中心部に嵌合孔３７ｂが形成され、その周囲に挿入口３７ｃが形成されていることにより、ハンマー保持軸３４の両側部に形成された一対の切欠き部３４ａに沿う垂直方向である上方からハンマー嵌合部３７の挿入口３７ｃを通してハンマー保持軸３４をハンマー嵌合部３７の嵌合孔３７ｂに嵌合させれば良いので、ハンマー部材１１をハンマー保持部１５の簡単にかつ容易に取り付けることができる。
【０１０１】
すなわち、ハンマー保持軸３４は、その前後方向の長さＬ２がハンマー保持軸３４の外径Ｒ３よりも小さく形成されており、ハンマー嵌合部３７は、その嵌合孔３７ｂの内径Ｒ４がハンマー保持軸３４の外径Ｒ３と同じ大きさに形成され、その挿入口３７ｃの最も狭い箇所の開口幅Ｗ２がハンマー保持軸３４の前後方向の長さＬ２よりも少し狭く形成されているので、ハンマー嵌合部３７の挿入口３７ｃを通してハンマー保持軸３４が嵌合孔３７ｂに挿入する際に、圧入することによりハンマー保持軸３４の切欠き部３４ａで挿入口２６ｃを少し押し広げて、ハンマー保持軸３４を嵌合孔３７ｂに嵌合させることができる。
【０１０２】
このため、複数のハンマー部材１１をハンマー保持部材１４に取り付ける前に、予め、複数のハンマー保持部１５が鍵２の配列方向に沿って形成されたハンマー保持部材１４を設置しても、複数のハンマー保持部１５に各ハンマー部材１１を簡単にかつ容易に順次取り付けることができるので、組立て作業が容易にでき、生産性の向上を図ることができる。この場合、挿入口３７ｃはハンマー嵌合部３７の外周側が広く、内周側が狭く形成されているので、挿入口３７ｃをハンマー保持軸３４に簡単にかつ容易に挿入させることができ、これによっても組立て作業が容易にでき、生産性の向上を図ることができる。
【０１０３】
また、ハンマー保持部１５には、ハンマー部材１１の横振れを防ぐ一対のガイド壁３２ａが設けられていることにより、ハンマー保持部１５のハンマー保持軸３４にハンマー部材１１のハンマー嵌合部３７を回転可能に取り付けると、ハンマー嵌合部３７を一対のガイド壁３２ａで摺動可能に挟むことができる。この場合、ハンマー嵌合部３７には、スリット溝３７ｄがハンマー部材１１の長手方向に沿って形成されているので、ハンマー嵌合部３７が一対のガイド壁３２ａ間に挿入された際に、スリット溝３７ｄによって一対のガイド壁３２ａに摺動可能に弾接させることができる。
【０１０４】
また、このハンマー保持部１５に設けられたガイド部である一対のガイド壁３２ａの内面には、ハンマー保持軸３４からハンマー部材１１の後端部側に向けて離れた箇所、つまり軸支持部３２の一対のガイド壁３２ａの後端部に位置し、かつハンマー部材１１をその配列方向の両側から挟む一対の挟持突起３２ｂを備えているので、これら一対の挟持突起３２ｂによってハンマー嵌合部３７の後端部に位置するハンマーアーム３６の前端部を摺動可能な状態で挟むことができる。
【０１０５】
このため、ハンマー部材１１は、そのハンマー嵌合部３７が一対のガイド壁３２ａで摺動可能に挟まれると共に、ハンマー嵌合部３７の後端部に位置するハンマーアーム３６の前端部が一対の挟持突起３２ｂによって摺動可能な状態で挟まれるので、これら一対のガイド壁３２ａおよび一対の挟持突起３２ｂによってハンマー部材１１の横振れを確実にかつ良好に防ぐことができる。
【０１０６】
この場合、一対の挟持突起３２ｂは、ハンマー保持軸３４から離れた箇所に設けられているので、ハンマー部材１１の横振れを効率良く防ぐことができる。さらに、この一対の挟持突起３２ｂを弾性材料で構成し、ハンマー部材１１をその配列方向の両側から弾力的に挟むように構成しても良い。
【０１０７】
また、ハンマー部材１１間に位置して互いに隣接する一対のガイド壁３２ａ間には、ハンマー部材１１間に位置して互いに隣接する一対の挟持突起３２ｂ同士を連結し、かつハンマーアーム３６の配列方向における一対の挟持突起３２ｂの弾性変形を抑制して、一対の挟持突起３２ｂをハンマー部材１１のハンマーアーム３６の両側に押し付ける連結押え部３２ｃが設けられていることにより、この連結押え部３２ｃによって一対の挟持突起３２ｂをハンマーアーム３６の前端部にその配列方向の両側から確実にかつ良好に押えることができる。
【０１０８】
これにより、このアクション機構３では、押鍵操作に応じてハンマー部材１１が回転する際に、ハンマー保持部１５の一対のガイド壁３２ａと一対の挟持突起３２ｂと連結押え部３２ｃとによってハンマー部材１１が鍵２の配列方向に横振れするのを確実にかつ良好に防ぐことができるので、ハンマー部材１１を円滑にかつ良好に回転させることができると共に、ハンマー部材１１の位置精度と動作精度とを高めることができる。
【０１０９】
また、この電子鍵盤楽器のアクション機構３では、複数のハンマー保持部１５が鍵２の配列方向に沿って一体に形成されていることにより、複数のハンマー部材１１をハンマー保持部材１４に取り付ける前に、予め、複数のハンマー部材１１をそれぞれ回転自在に保持する複数のハンマー保持部１５を個別に製作して組み付ける必要がなく、ハンマー保持部材１４を設置するだけで、簡単に複数のハンマー保持部１５を一度に設置することができる。このため、組立て作業が容易にできるので、生産性が良く、低コスト化を図ることができる。
【０１１０】
また、この電子鍵盤楽器のアクション機構３では、鍵２の配列方向に沿って配置されて伝達保持部材１２が取り付けられる伝達支持レール１７と、鍵２の配列方向に沿って配置されてハンマー保持部材１４が取り付けられるハンマー支持レール１８と、を備えていることにより、複数の伝達保持部１３が鍵２の配列方向に沿って一体に形成された伝達保持部材１２を伝達支持レール１７上に順次取り付けることができると共に、複数のハンマー保持部１５が鍵２の配列方向に沿って一体に形成されたハンマー保持部材１４をハンマー支持レール１８上に順次取り付けることができ、これによっても組立て作業の簡素化を図ることができる。
【０１１１】
さらに、この電子鍵盤楽器のアクション機構３では、鍵２の配列方向の全長における予め定められた複数個所にそれぞれ配置され、伝達支持レール１７およびハンマー支持レール１８を支持する複数の支持部材２０を備えていることにより、これら複数の支持部材２０によって伝達支持レール１７およびハンマー支持レール１８を鍵２の配列方向の全長に亘って安定した状態で確実にかつ良好に梁渡すことができるので、確実にかつ良好に複数の伝達部材１０および複数のハンマー部材１１を取り付けることができる。
【０１１２】
なお、上述した実施形態では、伝達保持部材１２の複数の伝達保持部１３にそれぞれ設けられた伝達保持軸２４の両側に切欠き部２４ａを互いに平行に形成し、伝達部材１０の伝達嵌合部２６の中心部に嵌合孔２６ｂを形成し、その周囲の一部に挿入口２６ｃを形成し、圧入により伝達保持軸２４の切欠き部２４ａで挿入口２６ｃを少し押し広げて、伝達保持軸２４を嵌合孔２６ｂに嵌合させるように構成した場合について述べたが、これに限らず、例えば図１１（ａ）および図１１（ｂ）に示す第１変形例のように構成しても良い。
【０１１３】
すなわち、この第１変形例は、伝達保持部材１２の複数の伝達保持部１３にそれぞれ設けられた伝達保持軸５０を断面円形状の丸棒状に形成し、伝達部材１０の伝達嵌合部５１の中心部に嵌合孔５１ｂを形成し、その周囲の一部に挿入口５１ｃを形成し、この状態で伝達嵌合部５１にその径方向に弾力をもたせて弾性変形するように形成した構成になっている。
【０１１４】
この場合、伝達嵌合部５１は、嵌合孔５１ｂの周囲に沿って円弧状のスリット孔５１ｄが形成されていることにより、径方向に弾性変形するように構成されている。このため、挿入口５１ｃは、その最も狭い箇所の幅Ｗ３が伝達保持軸５０の外径Ｒ５よりも小さく形成されていても、伝達保持軸５０が通り抜ける際に、伝達嵌合部５１を嵌合孔５１ｂの径方向に弾性変形させるように構成されている。
【０１１５】
このような第１変形例では、図１１（ａ）および図１１（ｂ）に示すように、伝達嵌合部５１の挿入口５１ｃを通して伝達保持軸５０を嵌合孔５１ｂに挿入する際に、伝達部材１０を伝達保持軸５０の軸方向と直交する任意の方向から伝達嵌合部５１の挿入口５１ｃに伝達保持軸５０を挿入させることができる。
【０１１６】
また、この第１変形例では、伝達嵌合部５１の挿入口５１ｃに伝達保持軸５０を挿入する際に、伝達保持軸５０によって伝達嵌合部５１の挿入口５１ｃが径方向に押し広けられて伝達嵌合部５１を良好に弾性変形させることができるので、伝達保持軸５０を嵌合孔５１ｂに確実にかつ良好に挿入することができ、この状態で伝達嵌合部５１が弾性復帰して弾力的に伝達保持軸５０に嵌合させることができるので、伝達保持軸５０を中心に伝達部材１０を回転可能な状態で良好に取り付けることができる。
【０１１７】
また、上述した実施形態では、ハンマー保持部材１４の複数のハンマー保持部１５にそれぞれ設けられたハンマー保持軸３４の両側に切欠き部３４ａを互いに平行に形成し、ハンマー部材１１のハンマー嵌合部３７の中心部に嵌合孔３７ｂを形成し、その周囲の一部に挿入口３７ｃを形成し、圧入により伝達保持軸３４の切欠き部３４ａで挿入口３７ｃを少し押し広げて、伝達保持軸３４を嵌合孔３７ｂに嵌合させるように構成した場合について述べたが、これに限らず、例えば図１２（ａ）および図１２（ｂ）に示す第２変形例のように構成しても良い。
【０１１８】
すなわち、この第２変形例は、ハンマー保持部材１４の複数のハンマー保持部１５に設けられた伝達保持軸５５を断面円形状の丸棒状に形成し、ハンマー部材１１のハンマー嵌合部５６の中心部に嵌合孔５６ｂを形成し、その周囲に挿入口５６ｃを形成し、この状態でハンマー嵌合部５６にその径方向に弾力をもたせて弾性変形するように形成した構成になっている。
【０１１９】
この場合、ハンマー嵌合部５６は、嵌合孔５６ｂの周囲に沿って円弧状のスリット孔５６ｄが形成されていることにより、径方向に弾性変形するように構成されている。このため、挿入口５６ｃは、その最も狭い箇所の幅Ｗ４がハンマー保持軸５５の外径Ｒ６よりも小さく形成されていても、ハンマー保持軸５５が通り抜ける際に、ハンマー嵌合部５６を嵌合孔５６ｂの径方向に弾性変形させるように構成されている。
【０１２０】
このような第２変形例では、図１２（ａ）および図１２（ｂ）に示すように、ハンマー嵌合部５６の挿入口５６ｃを通してハンマー保持軸５５を嵌合孔５６ｂに挿入する際に、ハンマー部材１１をハンマー保持軸５５の軸方向と直交する任意の方向からハンマー嵌合部５６の挿入口５６ｃをハンマー保持軸５５に挿入させることができる。
【０１２１】
また、この第２変形例では、ハンマー嵌合部５６の挿入口５６ｃにハンマー保持軸５５を挿入する際に、ハンマー保持軸５５によってハンマー嵌合部５６が径方向に押し広けられて良好に弾性変形させることができるので、ハンマー保持軸５５を嵌合孔５６ｂに確実にかつ良好に挿入することができ、この状態でハンマー嵌合部５６が弾性復帰して弾力的にハンマー保持軸５５に嵌合させることができるので、ハンマー保持軸５５を中心にハンマー部材１１を回転可能な状態で良好に取り付けることができる。
【０１２２】
さらに、上述した実施形態では、伝達支持レール１７とハンマー支持レール１８とが鍵２の配列方向の全長に亘る長さに形成されている場合について述べたが、これに限らず、例えば図１３に示す第３変形例のように、伝達支持レール６０とハンマー支持レール６１とをそれぞれ複数に分割して鍵２の配列方向の全長に亘って配置するように構成して良い。
【０１２３】
この場合、伝達支持レール６０とハンマー支持レール６１とを複数の支持部材２０の配置間隔ごとに４つに分割しても良く、また鍵２の配列方向における全長の半分に分割しても良く、さらに３つに分割しても良い。また、同様に、下限ストッパレール３９と上限ストッパレール４１も、複数の支持部材２０の配置間隔ごとに４つに分割しても良く、また鍵２の配列方向における全長の半分に分割しても良く、さらに３つに分割しても良い。
【０１２４】
なおまた、上述した実施形態では、伝達保持部材１２に複数の伝達保持部１３を１０個程度の鍵２にそれぞれ対応させて一体に形成し、ハンマー保持部材１４に複数のハンマー保持部１５を１０個程度の鍵２にそれぞれ対応させて一体に形成した場合について述べたが、これに限らず、例えば複数の伝達保持部１３および複数のハンマー保持部１５をそれぞれ２０個程度の鍵２にそれぞれ対応させて一体に形成しても良く、またこれらに限らず、５個程度の各鍵２に対応するように一体に形成しても良く、その数は自由に選択して一体に形成しても良い。
【０１２５】
また、上述した実施形態では、ハンマー保持部１５に設けられたガイド部である一対のガイド壁３２ａの内面に、ハンマー部材１１をその配列方向の両側から挟む一対の挟持突起３２ｂを備えている場合について述べたが、これに限らず、例えば図１４に示す第４変形例のように構成しても良い。
【０１２６】
すなわち、この第４変形例のガイド部は、一対のガイド壁３２ａがハンマー保持軸１５からハンマー部材１１の後端部側に向けて延出され、この延出された一対のガイド壁３２ａにハンマー部材１１をその配列方向の両側から弾力的に挟む一対の弾性挟持部３２ｄを形成した構成になっている。
【０１２７】
この場合、一対の弾性挟持部３２ｄは、図１４に示すように、ハンマー保持軸１５からハンマー部材１１の後端部側に位置する一対のガイド壁３２ａの肉厚を薄くすることにより形成されている。すなわち、一対の弾性挟持部３２ｄは、一対のガイド壁３２ａの各外面側を削り取ることにより、肉厚を薄く形成してハンマー部材１１の配列方向に弾力性を有するように構成されている。
【０１２８】
これにより、ハンマー部材１１は、図１４に示すように、一対のガイド壁３２ａによってハンマー嵌合部３７がその配列方向の両側から摺動可能に挟まれると共に、一対の弾性挟持部３２ｄによってハンマーアーム３６がその配列方向の両側から摺動可能に弾力的に挟まれることにより、ハンマー部材１１の横振れを阻止するように構成される。
【０１２９】
また、上述した実施形態およびその第４変形例では、ハンマー部材１１を回転可能に保持するハンマー保持部１５に、ガイド部である一対のガイド壁３２ａおよび一対の挟持突起３２ｂまたは一対の弾性挟持部３２ｄを設けた場合について述べたが、これに限らず、伝達部材１０を回転可能に保持する伝達保持部１３に、ハンマー保持部１５の一対の挟持突起３２ｂおよび連結押え部３２ｂ、または一対の弾性挟持部３２ｄと同じ構造の一対の挟持突起および連結押え部、または一対の弾性挟持部を設けても良い。
【０１３０】
さらに、例えば、伝達部材（ウイペン）は、回転動作するものに限らず、押鍵にともなって変位する（移動する）ことにより、押鍵の力を伝達する構造となっていても良い。
【０１３１】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【０１３２】
（付記）
請求項１に記載の発明は、並列に配列された複数の鍵と、前記複数の鍵それぞれに対応して設けられ、当該複数の鍵それぞれの押鍵操作に応じて変位する複数の伝達部材と、前記複数の伝達部材それぞれに設けられ、押鍵操作に対応する前記伝達部材の変位に応じて回転動作することにより、前記押鍵操作されている鍵に対してアクション荷重を付与する複数のハンマー部材と、前記複数の伝達部材それぞれに対応して設けられ、当該複数の伝達部材それぞれを回転自在に保持する伝達保持軸を有する複数の伝達保持部と、を備え、前記各伝達部材は、前記伝達保持軸に挿脱可能に挿入して回転自在に取り付けられる伝達嵌合部を有していることを特徴とする鍵盤楽器のアクション機構である。
【０１３３】
請求項２に記載の発明は、並列に配列された複数の鍵と、前記複数の鍵それぞれに対応して設けられ、当該複数の鍵それぞれの押鍵操作に応じて変位する複数の伝達部材と、前記複数の伝達部材それぞれに設けられ、押鍵操作に対応する前記伝達部材の変位に応じて回転動作することにより、前記押鍵操作されている鍵に対してアクション荷重を付与する複数のハンマー部材と、前記複数のハンマー部材それぞれに対応して設けられ、当該複数のハンマー部材それぞれを回転自在に保持するハンマー保持軸を有する複数のハンマー保持部と、を備え、前記各ハンマー部材は、前記ハンマー保持軸に挿脱可能に挿入して回転自在に取り付けられるハンマー嵌合部を有していることを特徴とする鍵盤楽器のアクション機構である。
【０１３４】
請求項３に記載の発明は、請求項１に記載の鍵盤楽器のアクション機構において、前記伝達部材の前記伝達嵌合部は、その中心部に前記伝達保持軸が嵌合する嵌合孔が形成され、この嵌合孔の周囲における一部に前記伝達保持軸が挿脱可能に挿通する挿入口が形成されていることを特徴とする鍵盤楽器のアクション機構である。
【０１３５】
請求項４に記載の発明は、請求項３に記載の鍵盤楽器のアクション機構において、前記伝達保持部には、前記伝達部材の横振れを防ぐガイド部がそれぞれ設けられていることを特徴とする鍵盤楽器のアクション機構である。
【０１３６】
請求項５に記載の発明は、請求項１、請求項３、請求項４のいずれかに記載の鍵盤楽器のアクション機構において、前記伝達嵌合部には、スリット溝が前記伝達部材の長手方向に沿って設けられていることを特徴とする鍵盤楽器のアクション機構である。
【０１３７】
請求項６に記載の発明は、請求項１、請求項３〜請求項５のいずれかに記載の鍵盤楽器のアクション機構において、前記複数の伝達保持部は、前記鍵の配列方向に沿って一体に形成されていることを特徴とする鍵盤楽器のアクション機構である。
【０１３８】
請求項７に記載の発明は、請求項２に記載の鍵盤楽器のアクション機構において、前記ハンマー部材の前記ハンマー嵌合部は、その中心部に前記ハンマー保持軸が嵌合する嵌合孔が形成され、この嵌合孔の周囲における一部に前記ハンマー保持軸が挿脱可能に挿通する挿入口が形成されていることを特徴とする鍵盤楽器のアクション機構である。
【０１３９】
請求項８に記載の発明は、請求項２に記載の鍵盤楽器のアクション機構において、前記ハンマー保持部は、前記複数のハンマー部材それぞれに対応して、前記各ハンマー部材を両側から挟む一対のガイド壁を備えていることを特徴とする鍵盤楽器のアクション機構である。
【０１４０】
請求項９に記載の発明は、請求項２に記載の鍵盤楽器のアクション機構において、前記ハンマー保持部は、前記複数のハンマー部材それぞれに対応して、前記各ハンマー部材を両側から挟む一対の挟持突起を備えていることを特徴とする鍵盤楽器のアクション機構である。
【０１４１】
請求項１０に記載の発明は、請求項８に記載の鍵盤楽器のアクション機構において、前記ハンマー保持部は、互いに隣接する前記一対のガイド壁の間に連結押え部を備えていることを特徴とする鍵盤楽器のアクション機構である。
【０１４２】
請求項１１に記載の発明は、請求項８に記載の鍵盤楽器のアクション機構において、前記一対のガイド壁それぞれには、前記ハンマー部材を両側から弾力的に挟む一対の弾性挟持部を備えていることを特徴とする鍵盤楽器のアクション機構である。
【０１４３】
請求項１２に記載の発明は、請求項２、請求項７〜請求項１１のいずれかに記載の鍵盤楽器のアクション機構において、前記ハンマー嵌合部には、スリット溝が前記ハンマー部材の長手方向に沿って設けられていることを特徴とする鍵盤楽器のアクション機構である。
【０１４４】
請求項１３に記載の発明は、請求項２、請求項７〜請求項１２のいずれかに記載の鍵盤楽器のアクション機構において、前記複数のハンマー保持部は、前記鍵の配列方向に沿って一体に形成されていることを特徴とする鍵盤楽器のアクション機構である。
【符号の説明】
【０１４５】
１  鍵盤装置
２  鍵
３  アクション機構
１０  伝達部材
１１  ハンマー部材
１２  伝達保持部材
１３  伝達保持部
１４  ハンマー保持部材
１５  ハンマー保持部
１７、６０  伝達支持レール
１８、６１  ハンマー支持レール
２０  支持部材
２２  軸支持部
２２ａ  ガイド壁
２４、５０、５５  伝達保持軸
２４ａ  切欠き部
２６、５１、５６  伝達嵌合部
２６ｂ、５１ｂ、５６ｂ  嵌合孔
２６ｃ、５１ｃ、５６ｃ  挿入口
２６ｄ、５１ｄ、５６ｄ  スリット溝
３１  ハンマー突起部
３２  軸支持部
３２ａ  ガイド壁
３２ｂ  挟持突起
３２ｃ  連結押え部
３２ｄ  弾性挟持部
３４  ハンマー保持軸
３４ａ  切欠き部
３５  ハンマー部
３６  ハンマーアーム
３７  ハンマー嵌合部
３７ｂ  嵌合孔
３７ｃ  挿入口
３７ｄ  スリット溝
３８  下限ストッパ
４１  上限ストッパ
４３  スイッチ基板
４５  ゴムスイッチ
【図１】
2018165829.tif 000003
【図２】
2018165829.tif 000004
【図３】
2018165829.tif 000005
【図４】
2018165829.tif 000006
【図５】
2018165829.tif 000007
【図６】
2018165829.tif 000008
【図７】
2018165829.tif 000009
【図８】
2018165829.tif 000010
【図９】
2018165829.tif 000011
【図１０】
2018165829.tif 000012
【図１１】
2018165829.tif 000013
【図１２】
2018165829.tif 000014
【図１３】
2018165829.tif 000015
【図１４】
2018165829.tif 000016
【手続補正書】
【提出日】平成30年7月20日(2018.7.20)
【手続補正１】
【補正対象書類名】特許請求の範囲
【補正対象項目名】全文
【補正方法】変更
【補正の内容】
【特許請求の範囲】
【請求項１】
並列に配列された複数の鍵と、
前後方向の両側部に切欠き部が設けられていることにより前記前後方向の幅が上下方向の幅よりも短いハンマー保持軸を有する複数のハンマー保持部と、
一端側に、前記ハンマー保持軸に嵌合する、前記ハンマー保持軸の前記上下方向の幅より短い開口幅の挿入口を有するハンマー嵌合部を含み、前記複数の鍵それぞれの押鍵操作に応じて、前記ハンマー保持軸を中心に、前記ハンマー保持軸の後側で回転する複数のハンマー部材と、
を備え、
前記挿入口は、前記ハンマー部材の長手方向に開口するように配置されているとともに、前記押鍵操作がされていない際に前記ハンマー保持軸の前側に配置されており、
前記ハンマー部材が前記押鍵操作に応じて回転する際に、前記ハンマー嵌合部における前記挿入口以外の部位が前記ハンマー保持軸における前記切欠き部以外の非切欠き部の上側を覆うことにより、前記挿入口は上下方向を向かないことを特徴とする鍵盤楽器。
【請求項２】
請求項１に記載の鍵盤楽器において、前記複数のハンマー部材の下側に前記複数の鍵が配置されていることを特徴とする鍵盤楽器。
【請求項３】
請求項１に記載の鍵盤楽器において、前記ハンマー保持部は、前記複数のハンマー部材それぞれに対応して、前記各ハンマー部材を両側から挟む一対のガイド壁を備えていることを特徴とする鍵盤楽器。
【請求項４】
請求項１に記載の鍵盤楽器において、前記ハンマー保持部は、前記複数のハンマー部材それぞれに対応して、前記各ハンマー部材を両側から挟む一対の挟持突起を備えていることを特徴とする鍵盤楽器。
【請求項５】
請求項３に記載の鍵盤楽器において、互いに隣接する前記一対のガイド壁の間に連結押え部を備えていることを特徴とする鍵盤楽器。
【請求項６】
請求項３に記載の鍵盤楽器において、前記一対のガイド壁それぞれには、前記ハンマー部材を両側から弾力的に挟む一対の弾性挟持部を備えていることを特徴とする鍵盤楽器。
【請求項７】
請求項１〜請求項６のいずれかに記載の鍵盤楽器において、前記ハンマー嵌合部には、スリット溝が前記ハンマー部材の長手方向に沿って設けられていることを特徴とする鍵盤楽器。
【請求項８】
請求項１〜請求項７のいずれかに記載の鍵盤楽器において、前記複数のハンマー保持部は、前記鍵の配列方向に沿って一体に形成されていることを特徴とする鍵盤楽器。
【請求項９】
並列に配列された複数の鍵と、
前後方向の両側部に切欠き部が設けられていることにより前記前後方向の幅が上下方向の幅よりも短い伝達保持軸を有する伝達保持部と、
一端側に、前記伝達保持軸に嵌合する、前記伝達保持軸の前記上下方向の幅より短い開口幅の挿入口を有する伝達嵌合部を含み、前記複数の鍵それぞれの押鍵操作に応じて、前記伝達保持軸を中心に回転する複数の伝達部材と、
前記押鍵操作に応じた音を発音するスピーカと、
を備え、
前記挿入口は、前記伝達部材の長手方向に開口するように配置されているとともに、前記押鍵操作がされていない際に前記伝達保持軸の後側に配置されており、
前記伝達部材が前記押鍵操作に応じて回転する際に、前記伝達嵌合部における前記挿入口以外の部位が前記伝達保持軸における前記切欠き部以外の非切欠き部の上側を覆うことにより、前記挿入口は上下方向を向かないことを特徴とする鍵盤楽器。
【手続補正３】
【補正対象書類名】明細書
【補正対象項目名】０００８
【補正方法】変更
【補正の内容】
【０００８】
この発明は、ピアノなどの鍵盤楽器に関する。
【手続補正４】
【補正対象書類名】明細書
【補正対象項目名】０００９
【補正方法】変更
【補正の内容】
【０００９】
この発明の一態様は、並列に配列された複数の鍵と、前後方向の両側部に切欠き部が設けられていることにより前記前後方向の幅が上下方向の幅よりも短いハンマー保持軸を有する複数のハンマー保持部と、一端側に、前記ハンマー保持軸に嵌合する、前記ハンマー保持軸の前記上下方向の幅より短い開口幅の挿入口を有するハンマー嵌合部を含み、前記複数の鍵それぞれの押鍵操作に応じて、前記ハンマー保持軸を中心に、前記ハンマー保持軸の後側で回転する複数のハンマー部材と、を備え、前記挿入口は、前記ハンマー部材の長手方向に開口するように配置されているとともに、前記押鍵操作がされていない際に前記ハンマー保持軸の前側に配置されており、前記ハンマー部材が前記押鍵操作に応じて回転する際に、前記ハンマー嵌合部における前記挿入口以外の部位が前記ハンマー保持軸における前記切欠き部以外の非切欠き部の上側を覆うことにより、前記挿入口は上下方向を向かないことを特徴とする鍵盤楽器である。
【手続補正５】
【補正対象書類名】明細書
【補正対象項目名】００１０
【補正方法】変更
【補正の内容】
【００１０】
この発明の一態様は、並列に配列された複数の鍵と、前後方向の両側部に切欠き部が設けられていることにより前記前後方向の幅が上下方向の幅よりも短い伝達保持軸を有する伝達保持部と、一端側に、前記伝達保持軸に嵌合する、前記伝達保持軸の前記上下方向の幅より短い開口幅の挿入口を有する伝達嵌合部を含み、前記複数の鍵それぞれの押鍵操作に応じて、前記伝達保持軸を中心に回転する複数の伝達部材と、前記押鍵操作に応じた音を発音するスピーカと、を備え、前記挿入口は、前記伝達部材の長手方向に開口するように配置されているとともに、前記押鍵操作がされていない際に前記伝達保持軸の後側に配置されており、前記伝達部材が前記押鍵操作に応じて回転する際に、前記伝達嵌合部における前記挿入口以外の部位が前記伝達保持軸における前記切欠き部以外の非切欠き部の上側を覆うことにより、前記挿入口は上下方向を向かないことを特徴とする鍵盤楽器である。
【手続補正６】
【補正対象書類名】明細書
【補正対象項目名】００１１
【補正方法】変更
【補正の内容】
【００１１】
この発明によれば、組立て作業が容易にできるので、生産性が良く、低コスト化を図ることができる。
【手続補正７】
【補正対象書類名】明細書
【補正対象項目名】００１２
【補正方法】削除
【補正の内容】